(57)【要約】【課題】携帯端末に搭載した小型ＩＣカードと、アプリケーションを提供する電話サーバーに接続された外部装置を交信させる記録担体を搭載した携帯可能な通信端末、及び、これを使ったサービス提供システムの提供を目的とする。【解決手段】前記目的達成のため、取り外し可能に記録担体を搭載した携帯可能な通信端末は、少なくともネットワークを介して１つ以上のアプリケーション端末とデータを送受信する通信部と、アプリケーションプログラムを制御し格納する制御・格納部を有し、記録担体は、前記アプリケーションプログラムにそれぞれ対応する起動プログラムを制御し記録する制御・記録部を有し、且つ、携帯可能な通信端末と接続するための第１の接続部と、前記アプリケーション端末に関連する外部装置と接続するための第２の接続部を備えた記録担体を搭載した携帯可能な通信端末及びこれを使ったサービス提供システムを提供する。【選択図】  図１
2004193722.tif 000002
【特許請求の範囲】
【請求項１】
取り外し可能に記録担体を搭載した携帯可能な通信端末において、
携帯可能な通信端末は、少なくとも、ネットワークを介して１つ以上のアプリケーション端末と無線方式でデータを送受信する通信部と、前記アプリケーション端末と交信するアプリケーションプログラムを制御し格納する制御・格納部を有し、
記録担体は、前記アプリケーションプログラムにそれぞれ対応する起動プログラムを制御し記録する制御・記録部を有し、且つ、携帯可能な通信端末と接続するための第１の接続部と、前記アプリケーション端末に関連する外部装置と接続するための第２の接続部を備えたことを特徴とする記録担体を搭載した携帯可能な通信端末。
【請求項２】
第１、第２の接続部は、何れも非接触交信用のアンテナ、または、コイルであることを特徴とする請求項１に記載の記録担体を搭載した携帯可能な通信端末。
【請求項３】
第１の接続部は記録担体の表面に形成された接触交信用接続端子で、第２の接続部は記録担体に内蔵された非接触交信用アンテナ、または、コイルであることを特徴とする請求項１に記載の記録担体を搭載した携帯可能な通信端末。
【請求項４】
記録担体は、ＵＩＭカードであることを特徴とする請求項１〜３何れかに記載の記録担体を搭載した携帯可能な通信端末。
【請求項５】
携帯可能な通信端末は、携帯電話であることを特徴とする請求項１〜３何れかに記載の記録担体を搭載した携帯可能な通信端末。
【請求項６】
取り外し可能に記録担体を搭載した携帯可能な通信端末を利用したサービス提供システムにおいて、
携帯可能な通信端末は、少なくとも、ネットワークを介して１つ以上のアプリケーション端末と無線方式でデータを送受信する通信手段と、前記アプリケーション端末と交信するアプリケーションプログラムを制御し格納する制御・格納手段を有し、
記録担体は、前記アプリケーションプログラムにそれぞれ対応する起動プログラムを制御し記録部に記録する制御・記録手段、携帯可能な通信端末と接続するための第１の接続手段、アプリケーション端末に関連する外部装置と接続するための第２の接続手段を有し、
携帯可能な通信端末の前記通信手段は、アプリケーション端末から前記アプリケーションプログラムと起動プログラムをダウンロードし、制御・格納手段によってアプリケーションプログラムを携帯可能な通信端末のアプリケーションプログラム格納部に格納し、起動プログラムを記録担体の記録部に記録し、
記録担体がアプリケーション端末に関連する外部装置から第２の接続手段によって所定の信号を受信すると、第１の接続部を介して記録担体に記録された起動プログラムによってアプリケーションプログラムを起動させることを特徴とする記録担体を搭載した携帯可能な通信端末を利用したサービス提供システム。
【請求項７】
第１、第２の接続部は、何れも非接触交信用のアンテナ、または、コイルであることを特徴とする請求項６に記載の記録担体を搭載した携帯可能な通信端末を利用したサービス提供システム。
【請求項８】
第１の接続部は、記録担体の表面に形成された接触交信用接続端子で、第２の接続部は記録担体に内蔵された非接触交信用アンテナ、または、コイルであることを特徴とする請求項６に記載の記録担体を搭載した携帯可能な通信端末を利用したサービス提供システム。
【請求項９】
記録担体は、ＵＩＭカードであることを特徴とする請求項６〜８何れかに記載の記録担体を搭載した携帯可能な通信端末を利用したサービス提供システム。
【請求項１０】
携帯可能な通信端末は、携帯電話であることを特徴とする請求項６〜８何れかに記載の記録担体を搭載した携帯可能な通信端末を利用したサービス提供システム。
【請求項１１】
記録担体と外部装置は、記録担体に記録された起動プログラムがアプリケーションプログラムにアクセスする前に相互認証手段によって相互認証を行なうことを特徴とする請求項６〜１０何れかに記載の記録担体を搭載した携帯可能な通信端末を利用したサービス提供システム。
【請求項１２】
起動プログラムはｊａｖａアプレットで、アプリケーションプログラムは、ｊａｖａアプリケーションプログラムであることを特徴とする請求項６〜１１何れかに記載の記録担体を搭載した携帯可能な通信端末を利用したサービス提供システム。
【発明の詳細な説明】
【０００１】
【発明の属する技術分野】
本発明は、取り外し可能な記録担体を搭載する携帯可能な通信端末とこれを使うサービス提供システムに関し、詳しくは、前記記録担体を介して外部装置から携帯通信端末に格納されたアプリケーションプログラムを自動起動させ、実際のアプリケーションに係わるデータの交換は携帯通信端末本体が行なうシステムに関する。
【０００２】
【従来の技術】
従来、携帯通信端末、例えば、携帯電話に対してダイレクトメール（以下ＤＭという。）サービスを送信する場合、携帯電話所持者のメールアドレスに対して送信される。ＤＭには、即時性がなく、送信されたＤＭは、メールサーバーに格納され、携帯電話所持者が確認のためメールサーバーにアクセスして初めて内容の確認が行なわれる。その場合、アクセスのための費用と手間が発生する。
更に、連絡のために受信される通常のメールと、サービス業者から一方的に送られるＤＭは、同じ格納エリアに保管されるために、緊急を要するメールをスクロールして検索する場合、多くの保管リストから抽出されなければならず煩雑である。
また、近年携帯電話の多機能化に伴って複数のアプリケーションプログラムを携帯電話に搭載するようになり、携帯電話の小さな表示部にアプリケーションリストを表示させその中から必要なアプリケーションを検索するために多くの時間を消費する。
また、サービス提供者が携帯電話にアクセスしてアプリケーションプログラムを起動させることは困難で実行されている例も無い。
【０００３】
一方、インターネットを介して情報量が大きなサービス情報をダウンロードする場合、大容量の記憶媒体を伴った端末と携帯情報端末を接続し、予約したサービス情報を自動的にダウンロードする情報処理システムが開示されている（特許文献１参照）。
上記技術は、大記憶容量の情報をダウンロードするための技術であって、且つ、大容量の記憶媒体に格納されたプログラムと、ダウンロード先の記憶媒体駆動装置を介して接続されている携帯情報端末のプログラムを協働させて、情報のダウンロードを実行するものである。
【０００４】
【特許文献１】
特開２００２−１３２７１３
【０００５】
【発明が解決しようとする課題】
従来の技術によれば、携帯端末の利用者は、必要に応じて自らアプリケーションを選択し、プログラムを起動させる必要があった。
そこで本発明は、携帯端末に搭載した小型ＩＣカードと、アプリケーションを提供する電話サーバーに接続された外部装置を交信させ、相互認証ステップを経て携帯端末に格納されているプログラムを自動起動し、携帯端末と電話サーバーを交信させるマルチアプリケーション対応システムの提供を目的とする。
【０００６】
【課題を解決するための手段】
上記課題の目的を達成するために本発明の記録担体を搭載した携帯可能な通信端末の請求項１に記載の発明は、取り外し可能に記録担体を搭載した携帯可能な通信端末において、携帯可能な通信端末は、少なくともネットワークを介して１つ以上のアプリケーション端末と無線方式でデータを送受信する通信部と、前記アプリケーション端末と交信するアプリケーションプログラムを制御し格納する制御・格納部を有し、記録担体は、前記アプリケーションプログラムにそれぞれ対応する起動プログラムを制御し記録する制御・記録部を有し、且つ、携帯可能な通信端末と接続するための第１の接続部と、前記アプリケーション端末に関連する外部装置と接続するための第２の接続部を備えたことを特徴とするものである。
【０００７】
また、請求項２に記載の発明は、請求項１に記載の発明において、第１、第２の接続部は、何れも非接触交信用のアンテナ、または、コイルであることを特徴とするものである。
【０００８】
また、請求項３に記載の発明は、請求項１に記載の発明において、第１の接続部は記録担体の表面に形成された接触交信用の接続端子で、第２の接続部は記録担体に内蔵された非接触交信用のアンテナ、または、コイルであることを特徴とするものである。
【０００９】
また、請求項４に記載の発明は、請求項１〜３何れか１項に記載の発明において、記録担体は、ＵＩＭカードであることを特徴とするものである。
【００１０】
また、請求項５に記載の発明は、請求項１〜３何れかに記載の発明において、
携帯可能な通信端末は、携帯電話であることを特徴とするものである。
【００１１】
また、請求項６に記載の発明の記録担体を搭載した携帯可能な通信端末を利用したサービス提供システムは、取り外し可能に記録担体を搭載した携帯可能な通信端末を利用したサービス提供システムにおいて、携帯可能な通信端末は、少なくとも、ネットワークを介して１つ以上のアプリケーション端末と無線方式でデータを送受信する通信手段と、前記アプリケーション端末と交信するアプリケーションプログラムを制御し格納する制御・格納手段を有し、記録担体は、前記アプリケーションプログラムにそれぞれ対応する起動プログラムを制御し記録部に記録する制御・記録手段、携帯可能な通信端末と接続するための第１の接続手段、アプリケーション端末に関連する外部装置と接続するための第２の接続手段を有し、携帯可能な通信端末の前記通信手段は、アプリケーション端末から前記アプリケーションプログラムと起動プログラムをダウンロードし、制御・格納手段によってアプリケーションプログラムを携帯可能な通信端末のアプリケーションプログラム格納部に格納し、起動プログラムを記録担体の記録部に記録し、記録担体がアプリケーション端末に関連する外部装置から第２の接続手段によって所定の信号を受信すると、第１の接続部を介して記録担体に記録された起動プログラムによってアプリケーションプログラムを起動させることを特徴とするものである。
【００１２】
また、請求項７に記載の発明は、請求項６に記載の発明において、第１、第２の接続部は、何れも非接触交信用のアンテナ、または、コイルであることを特徴とするものである。
【００１３】
また、請求項８に記載の発明は、請求項６に記載の発明において、第１の接続部は、記録担体の表面に形成された接触交信用の接続端子で、第２の接続部は記録担体に内蔵された非接触交信用のアンテナ、または、コイルであることを特徴とするものである。
【００１４】
また、請求項９に記載の発明は、請求項６〜８何れかに記載の発明において、
記録担体は、ＵＩＭカードであることを特徴とするものである。
【００１５】
また、請求項１０に記載の発明は、請求項６〜８何れかに記載の発明において、  携帯可能な通信端末は、携帯電話であることを特徴とするものである。
【００１６】
また、請求項１１に記載の発明は、請求項６〜１０何れかに記載の発明において、記録担体と外部装置は、記録担体に記録された起動プログラムがアプリケーションプログラムにアクセスする前に相互認証手段によって相互認証を行なうことを特徴とするものである。
【００１７】
また、請求項１２に記載の発明は、請求項６〜１１何れかに記載の発明において、起動プログラムはｊａｖａアプレットで、アプリケーションプログラムは、ｊａｖａアプリケーションプログラムであることを特徴とするものである。
【００１８】
【発明の実施の形態】
以下、図面を参照して本発明の記録担体を搭載した携帯可能な通信端末及びこれを使ったサービス提供システムについて説明する。
図１は、本発明の記録担体を搭載した携帯可能な通信端末及びこれを使ったサービス提供システムの機器構成を示す図、図２は、記録担体の接続部の一実施形態についての説明図、図３は、記録担体を装着した携帯端末の機能説明のためのブロック図、図４は、記録担体を装着した携帯通信端末へのプログラムダウンロード手順の一実施携帯について説明するための図、図５は、記録担体を装着した携帯通信端末とサービス提供端末との交信の手順の一実施形態についての説明図である。
【００１９】
図１を参照して本発明の記録担体を搭載した携帯可能な通信端末及びこれを使ったサービス提供システムの機器構成について説明する。
取り外し可能な記録担体として、２世代携帯電話であるＧＳＭに搭載されていたＳＩＭ（ＳｕｂｓｃｒｉｂｅｒＩｄｅｎｔｉｔｙＭｏｄｕｌｅ）カード、更にその次世代版、ＵＩＭ（ＵｓｅｒＩｄｅｎｔｉｔｙＭｏｄｕｌｅ）カードが知られている。
ＵＩＭカードは大きさが１５×２５ｍｍ、厚さ０．８ｍｍ程度の小型ＩＣカードで、次世代（３Ｇ）携帯電話には標準搭載される。
携帯端末１は、入力部１１、表示部１２、送信部１３を備え、取り外し可能な外部メモリであるＵＩＭカード２を装着している。
代表的な携帯端末としてＰＤＡや、携帯電話機があるが、本実施の形態ではデジタル方式の第３世代に近い機能を有する携帯電話機を対象として説明する。
以下の説明では、記録担体を上述のＵＩＭカード、携帯可能な通信端末を携帯電話の例で説明する。
携帯電話１の入力部１１として、操作ボタン、撮像部、マイク等が表面のパネルに組み込まれている。また、表示部１２として、液晶などの表示パネルが組み込まれている。また、送信部１３として、固定式、または、引き出し可能なアンテナが携帯電話の上部に取り付けられている。
【００２０】
ＵＩＭカード２は、携帯電話の側面に設けられた挿入口（図示せず）から挿入されて所定の位置で固定される。携帯電話によっては裏側の蓋を開いてバッテリーの内側、又は、外側の所定の凹部にＵＩＭカードを固定し、裏蓋を閉じて使用する構造になっている。
携帯電話の裏側を所定アプリケーションの外部装置３のアンテナに近付けて、ＵＩＭカードに格納されている鍵と外部装置から提示された鍵を認証する。
外部装置は、認証結果ＯＫの場合は、ＵＩＭカードの起動プログラムに携帯電話のプログラム格納部に格納されているアプリケーションプログラムを立上げるためのアクセスコマンドを供給する。一方、携帯電話は、通信部（アンテナ）から外部装置にリンクする電話サーバー、Ｗｅｂサーバー等のアプリケーション端末（以下電話サーバーという。）４に電話番号と顧客コードを送信する。
電話サーバー４は、送信した携帯電話１の電話番号にタグ付けされた顧客コードによって、電話サーバーに接続された顧客データベースから所定の情報を抽出し、編集して携帯電話１に送信する。
【００２１】
図２を参照してＵＩＭカードの接続部の一実施形態について説明する。
前述のように、ＵＩＭカード２は、大きさが１５×２５ｍｍ、厚さ０．８ｍｍ程度の小型ＩＣカードで、塩化ビニール重合体，塩化ビニール・酢酸ビニール共重合体、ポリエチレンテレフタレート、ポリプロピレン、アクリル等の単体、または、複合体の基体にＩＣモジュールを実装したものである。
ＩＣモジュールの接触交信用接続端子２２は、ａ図に示すように独立した６〜１０に区画された金属など、導電性のプレートで構成され、外部装置の接点と接触してＩＣモジュール内のＩＣチップと外部装置相互の回路が電気的に導通するようにＵＩＭカードの表面に露出した状態で形成されている。
【００２２】
また、ｂ図に示すようにＵＩＭカードの裏側は、上述のプラスチック樹脂面になっている。
プラスチックに樹脂の内側には、アンテナ２１が埋設されておりアンテナの先端と、終端がＩＣチップのアンテナ接続端子２２４に接続されている。
図示していないが、ａ図に示す区画された導電性の端子は、それぞれＩＣチップの接続端子に接続されている。
図２のａ図に示す外部装置と接触させて接続する接触型端子と、ｂ図に示す外部装置と非接触で接続するアンテナ、または、コイル（以下単に、アンテナという。）が同一のチップに接続されて使用されるＩＣカードを接触型非接触型両用ＩＣカードという。
【００２３】
図２に示すような接触型非接触型両用ＩＣカードは、装置側の接続手段が接触型、非接触型何れであっても一枚のＩＣカードで対応できるようになっている。
【００２４】
図３を参照して、ＵＩＭカードを装着した携帯電話の機能について説明する。携帯電話の筐体の外側に露出している部分は、操作ボタンや、マイク等の入力部１１、ディスプレイなどの可変情報を表示する表示部１２、アンテナなどの通信部１３、表示していないがスピーカー等の出力部、カメラの撮像部などで構成されている。また、一部露出している部分は、ヘッドホーンや、外部電源などを接続するＩ／Ｏ部１０３等が組み込まれている。
前述の入力部１１、表示部１２、通信部１３、表示していないが電源部はそれぞれの部品や処理回路を伴った制御部であるＣＰＵ１０２に接続されている。
また、ＣＰＵ１０２には携帯電話本来の制御プログラムが格納されているＲＯＭ部１０４、受信したデータを含む情報を一時的に保管し操作するＲＡＭ１０５、受信したデータ又は情報を保管するデータ及び情報格納部１０６が接続されている。
【００２５】
前記情報格納部１０６には、複数のアプリケーションを受信し処理するアプリケーションプログラムが記録、格納される。このアプリケーションプログラムにはアプリケーション検索キーがタグ付けされており、ＵＩＭカードから送信される起動プログラムの起動コマンドを受信して、アプリケーションキーと照合させ、前記アプリケーションプログラムを立ち上げる。
【００２６】
前述のように、携帯電話に搭載されているＵＩＭカード（記録担体）は、インターフェイス部（第１の接続部）２１、インターフェイス部（第３の接続部）１０１を介して携帯電話本体と接続されている。
インターフェイス部２１は、使用されるＵＩＭカードが接触型非接触型両用カードであれば接触交信用の外部端子（図２の外部端子２１参照）であり、非接触型ＵＩＭカードであれば非接触交信用のアンテナである。
また、インターフェイス部（第２の接続部）２２は、電話サーバー等に直接、または、関連して設けられている外部装置と接続するための非接触交信用のアンテナである。
【００２７】
図３のインターフェイス部２１及び２２は、ＵＩＭカードに実装されているＩＣチップ２０１の制御部であるＣＰＵ２０２に接続されている。
ＣＰＵ２０２は、起動プログラムや、その他データを制御するプログラムが格納されているＲＯＭ２０３、受信データを含む受信情報を一時的に保管し操作するＲＡＭ２０４、アプリケーションプログラムの起動プログラム及び、相互認証用鍵その他データを保管する情報記録部（格納部）２０５に接続されている。
【００２８】
図４を参照して、記録担体を装着した携帯通信端末へのプログラムダウンロード手順の一実施携帯について説明する。
携帯電話の電源をオンにする（Ｓ３１）。アプリケーションサービス提供者の電話サーバー、外部装置をオンにする（Ｓ３２）。外部装置は、例えば、コンビニエンスストア等の入口のドアや、アプリケーションによって会場の入口に設置されたゲートの場合や、売り場に設置されているレジスター端末の場合等いろいろである。
【００２９】
サービスの提供を希望する顧客は、電話サーバーや、Ｗｅｂサーバーで顧客コードの申請を行う（Ｓ３３）。電話サーバーや、Ｗｅｂサーバーは顧客の申請に対して審査を行ない、審査基準を満たしている顧客に対して顧客コードを生成し、顧客登録を行なう（Ｓ３４）。電話サーバーや、Ｗｅｂサーバーは顧客コード、アプリケーションプログラム、アプリケーションプログラムを起動する起動プログラム、認証鍵を顧客の携帯電話に送信する（Ｓ３５）。
申請した顧客は、電話サーバー等から顧客コード、顧客コードがタグ付けされたアプリケーションプログラム、アプリケーションプログラムの起動プログラムをダウンロードする（Ｓ３６）。
Ｓ３６でダウンロードしたアプリケーションプログラムは携帯電話のアプリケーションプログラム格納部に、起動プログラムは認証鍵を付与してＵＩＭカードの記録部に格納（記録）する（Ｓ３７）。
【００３０】
図５を参照して、ＵＩＭカードを装着した携帯電話とサービス提供者の端末との交信の手順について、サービス提供者、例えば量販店、コンビニエンスストア、スーパー等がそれぞれ会員（顧客コード申請者）に対してＤＭを送信し特典を与えるキャンペーンを行なっている場合の例で説明する。
まず、サービス提供者のホストコンピュータは、電話サーバー、提携店のＵＩＭカード起動装置を備えた外部装置をオンにする（Ｓ４０）。
顧客は、携帯電話をオンにする（Ｓ４１）。顧客は外部装置の所定部分（アンテナ）に携帯電話のＵＩＭカード装着側を翳し外部装置と交信させる（Ｓ４２）。
外部装置は、ＵＩＭカードのアンテナに電波を送信しＵＩＭカードをオンの状態（起動状態）にし、ＵＩＭカードの記録部に記録されているファイルの中から照合用認証鍵にアクセスし、対応鍵を探す（Ｓ４３）。ＵＩＭカードは、記録部の中の対応鍵と外部装置から提供された鍵で相互認証を行なう（Ｓ４４）。
【００３１】
認証結果ＯＫの場合は、ＵＩＭカードに格納されている起動プログラムによって携帯電話のアプリケーションプログラムが格納されているアプリケーションプログラムの中から起動すべきアプリケーションプログラムを保管しているファイルの鍵を開錠（Ｓ４５）し、ファイルに保管されている顧客コードを取りだし、所定のアプリケーションプログラムを起動する（Ｓ４６）。
携帯電話は、携帯電話のアンテナを介してサービス提供者の電話サーバーに顧客コードを送信する（Ｓ４７）。顧客コードは、サービス提供者から与えられるため、複数のアプリケーションプログラムを格納している場合は、複数の顧客コードを保有する。
電話サーバーは、携帯電話から顧客コードを受信して、顧客データベース４０から顧客に送信すべき情報を選択する（Ｓ４８）。
電話サーバーは、顧客の携帯電話に選択した情報を送信（Ｓ４９）し、携帯電話はそれを受信して、相互に情報を交信し合う（Ｓ５０）。
サービス提供者が顧客に提供する情報は、ＤＭ、買い物情報に対するディスカウント率、サービスポイント等である。
【００３２】
前述の外部装置は、コンビニエンスストアであれば、入口のドアのノブ近くに、または、店の中のドア近くの所定の場所に備え付けられていて、必ずしもサービス提供者の電話端末と接続されていなくても良い。
即ち、外部装置は、サービス提供者固有のアクセス信号をＵＩＭカードに送信して、携帯電話のＵＩＭカードを起動し、携帯電話に格納されているアプリケーションプログラムを起動させれば良いのである。その後は、携帯電話と電話サーバーの仕事となる。
【００３３】
前述の例で、顧客がコンビニエンスストアでの買い物を終え、店を出ても携帯電話のアプリケーションプログラムはまだオンの状態になっており、顧客は、一旦携帯電話の電源ボタンを押して携帯電話をオフにする。
この時点で、携帯電話と電話サーバーの接続状態はオフ状態になる。
【００３４】
（実施例）
以下、接触型非接触型両用ＵＩＭカードを搭載したｉモード（ＮＴＴドコモＴＭの登録商標）対応携帯電話を使用したポイントシステムについて説明する。
ｊａｖａは、米国その他の国における米国Ｓｕｎ  Ｍｉｃｒｏｓｙｓｔｅｍｓ社の登録商標である。
まず、携帯電話の情報格納部にアプリケーションプログラム（以下ｊａｖａプログラムという。）を格納する。また、ＵＩＭカードの記録部には、起動プログラム（以下ｊａｖａアプレットという。）を記録し、格納する。
【００３５】
ポイントサービスを提供するポイントサービス会社は、電話サーバーから提供する会員向けのサービスソフトとして、前記ｊａｖａプログラム、ｊａｖａアプレット、ｊａｖａアプレットを起動するための認証用鍵、プログラムファイルを開くための鍵、それに会員コードを用意する。
入会を希望する会員に対して電話サーバーから携帯電話に対して前述のｊａｖａプログラム、ｊａｖａアプレット、ｊａｖａアプレットを起動するための認証用鍵、プログラムファイルを開くための鍵、それに会員コードをダウンロードする。
ダウンロードされたｊａｖａプログラム、会員コードは、携帯電話の情報格納部に格納され、プログラムファイルを開くための鍵は鍵保管ファイルに格納される。
ダウンロードされたｊａｖａアプレット、認証用鍵は、搭載されているＵＩＭカードの記録部に記録され格納される。
【００３６】
会員は、ポイントサービス会社が加盟する店舗の入口の所定の外部装置に携帯電話を翳す。
外部装置は、ＵＩＭカードのアンテナによってＵＩＭの制御部（ＣＰＵ）によってを回路を起動し認証用鍵で認証を行ない、ＣＰＵは、鍵が一致していることを確認してポイントサービス会社のｊａｖａアプレットによって携帯電話に格納されているｊａｖａプログラム鍵によってｊａｖａプログラムを起動する。
【００３７】
ｊａｖａプログラムは自動的に店舗内サーバー、又は、店舗内中継機によってポイントサービス会社の電話サーバーに接続する。
会員は、店舗で買い物をして、代金支払いの段階で店舗のレジスターの読み取り部で携帯電話を翳す。レジスターは、ＵＩＭカードを介して会員コードを読み取り、支払われた金額に対するポイントに会員コード＃をタグ付けして、電話サーバーに送信する。電話サーバーは、会員データベースの会員コードに新しいポイントを加算する。
会員は、電話サーバーにアクセスして自分のポイント情報を携帯電話の表示部で確認することができる。
【００３８】
会員は、店舗を出て携帯電話の電源を一旦オフにし、携帯電話と電話サーバーの接続を遮断する。
携帯電話と電話サーバーの接続を遮断する方法として前記以外に、店舗の所定の装置に携帯電話を翳して遮断する方法，一定の時間が経過した場合に自動的に遮断する方法，他のアプリケーション起動時に自動的に遮断する方法等があり、携帯電話の機能ボタンによって事前に設定しておくことができる。
【００３９】
【発明の効果】
１）請求項１、２、３に記載のように、取り外し可能に記録担体を搭載した携帯可能な通信端末において、携帯可能な通信端末は、少なくともネットワークを介して１つ以上のアプリケーション端末と無線方式でデータを送受信する通信部と、前記アプリケーション端末と交信するアプリケーションプログラムを制御し格納する制御・格納部を有し、記録担体は、前記アプリケーションプログラムにそれぞれ対応する起動プログラムを制御し記録する制御・記録部を有し、且つ、携帯可能な通信端末と接続するための第１の接続部と、前記アプリケーション端末に関連する外部装置と接続するための第２の接続部を備えることによって、携帯可能な通信端末を利用する際に、操作部でアプリケーション提供者に接続することなく接続され、しかも、高度なセキュリティ環境のもとで安心して利用でき、携帯可能通信端末とＵＩＭカードとの接続方式は、接触、非接触両方式から選択することができる。
２）請求項４、５に記載のように、記録担体をＵＩＭカード、携帯可能な通信端末を携帯電話とすることによって日常携帯する通信手段を媒介してポイントシステムなど広いアプリケーションで利用することができる。
３）請求項６、７、８に記載のように、請求項１に記載の携帯可能な通信端末を使用し、通信手段によって、アプリケーション端末から前記アプリケーションプログラムと起動プログラムをダウンロードし、制御・格納手段によってアプリケーションプログラムを携帯可能な通信端末のアプリケーションプログラム格納部に格納し、起動プログラムは記録担体の記録部に記録し、記録担体がアプリケーション端末に関連する外部装置から第２の接続手段によって所定の信号を受信すると、第１の接続部を介して記録担体に記録された起動プログラムによってアプリケーションプログラムを起動させることによって、携帯可能な通信端末を利用する際に、操作部によってアプリケーション提供者に接続する煩わしまもなく、高度なセキュリティ環境のもとで安心して利用でき、携帯可能通信端末とＵＩＭカードとの接続方式は接触、非接触両方式から選択することができる。
４）また、請求項９、１０に記載のように、記録担体をＵＩＭカード、携帯可能な通信端末を携帯電話とすることによって日常携帯する通信手段を媒介してポイントシステムなど広いアプリケーションで利用することができる。
５）また、請求項１１に記載のように記録担体と外部装置は、記録担体に記録された起動プログラムがアプリケーションプログラムにアクセスする前に相互認証手段によって相互認証を行なうことによって、携帯可能な通信端末を操作することなく、高いセキュリティ環境のもとでアプリケーションを使用することができる。
６）請求項１２に記載のように、起動プログラムはｊａｖａアプレットで、アプリケーションプログラムは、ｊａｖａアプリケーションプログラムであることによって、高いセキュリティー環境のもとで、利用できるアプリケーションの範囲を拡大することができる。
【図面の簡単な説明】
【図１】本発明の記録担体を搭載した携帯可能な通信端末及びこれを使ったサービス提供システムの機器構成を示す図
【図２】記録担体の接続部の一実施形態についての説明図
【図３】記録担体を装着した携帯電話の機能説明のためのブロック図
【図４】記録担体を装着した携帯通信端末へのプログラムダウンロード手順の一実施携帯について説明するための図
【図５】記録担体を装着した携帯通信端末とサービス提供端末との交信手順の一実施形態についての説明図
【符号の説明】
１      携帯端末、携帯電話（携帯可能な通信端末）
２      ＵＩＭカード（記録担体）
３      外部装置
４      電話サーバー（アプリケーション端末）
１１    携帯電話の入力部
１２    携帯電話の表示部
１３    携帯電話の通信部
２１    ＩＦ１（第１の接続部＝接触型端子）
２２    ＩＦ２（第２の接続部＝アンテナ）
１０１  ＩＦ３（第３の接続部）
１０２，２０２  ＣＰＵ
１０３  Ｉ／Ｏ
１０４，２０３  ＲＯＭ
１０５，２０４  ＲＡＭ
１０６  情報格納部
２０１  ＵＩＭカードのＩＣチップ
２０５  情報記録部
２２１  ＩＣチップのアンテナ端子
【図１】
2004193722.tif 000003
【図２】
2004193722.tif 000004
【図３】
2004193722.tif 000005
【図４】
2004193722.tif 000006
【図５】
2004193722.tif 000007